(57)【要約】【課題】起動電流の大きい冷却ファンを用いる場合でも電流容量の小さいユニット内蔵電源装置を使用可能な冷却ファン用電源装置および冷却ファンシステムを提供する。【解決手段】冷却ファン３を有するファンユニット２を複数備えた機器１０に搭載され、各ファンユニット２に搭載され、機器１０の電源ユニットからの電源を冷却ファン３用に変換して冷却ファン３に出力するユニット内蔵電源装置４と、冷却ファン３の起動時に各冷却ファン３に電源を供給する補助電源装置６と、を備えたものである。【選択図】図１
2014103202.tif 000002
【特許請求の範囲】
【請求項１】
冷却ファンを有するファンユニットを複数備えた機器に搭載され、
前記各ファンユニットに搭載され、前記機器の電源ユニットからの電源を前記冷却ファン用に変換して前記冷却ファンに出力するユニット内蔵電源装置と、
前記冷却ファンの起動時に前記各冷却ファンに電源を供給する補助電源装置と、
を備えたことを特徴とする冷却ファン用電源装置。
【請求項２】
前記補助電源装置を複数備え冗長化した
請求項１記載の冷却ファン用電源装置。
【請求項３】
前記各冷却ファンが順次起動されるように起動タイミングを調整する起動タイミング調整部をさらに備えた
請求項１または２記載の冷却ファン用電源装置。
【請求項４】
冷却ファンと、当該冷却ファンが搭載される機器の電源ユニットからの電源を前記冷却ファン用に変換して前記冷却ファンに出力するユニット内蔵電源装置と、を有する複数のファンユニットと、
前記冷却ファンの起動時に前記各冷却ファンに電源を供給する補助電源装置と、
を備えたことを特徴とする冷却ファンシステム。
【発明の詳細な説明】
【技術分野】
【０００１】
本発明は、冷却ファンに電源を供給する冷却ファン用電源装置および冷却ファンシステムに関するものである。
【背景技術】
【０００２】
電気機器、通信機器等において、機器内の電子部品等の冷却のために冷却ファンが用いられている。
【０００３】
図２に示すように、一般に、冷却ファン２１は、冷却ファン２１をコントロールするファンコントローラ２２と、機器２０の電源ユニット（図示せず）から入力された電源を冷却ファン２１用に変換して冷却ファン２１に出力するユニット内蔵電源装置２３と共にユニット化され、ファンユニット２４として扱われている。ユニット内蔵電源装置２３は、例えばＤＣ−ＤＣコンバータ（ＤＤコンバータ）からなる。
【０００４】
なお、この出願の発明に関連する先行技術文献情報としては、特許文献１がある。
【先行技術文献】
【特許文献】
【０００５】
【特許文献１】特開平８−１６８１９３号公報
【発明の概要】
【発明が解決しようとする課題】
【０００６】
近年、冷却効率を高めるために高回転の冷却ファン２１が広く用いられている。高回転の冷却ファン２１では、起動の際に例えば定格の２倍以上の起動電流が発生する。
【０００７】
そのため、高回転の冷却ファン２１など起動電流が大きい冷却ファン２１を用いる場合、この起動電流に対応するために電流容量の大きいユニット内蔵電源装置２３を用いる必要が生じる。
【０００８】
電流容量の大きいユニット内蔵電源装置２３は、通常使用時にはオーバースペックであり、高価かつ大型であるため、起動電流のためだけに電流容量の大きいユニット内蔵電源装置２３を用いることは、好ましくない。
【０００９】
特に、ファンユニット２４を複数備える機器２０においては、各ファンユニット２４に高価なユニット内蔵電源装置２３を備える必要があり、機器２０全体での大幅な高コスト化は避けられない。
【００１０】
本発明は上記事情に鑑み為されたものであり、起動電流の大きい冷却ファンを用いる場合でも電流容量の小さいユニット内蔵電源装置を使用可能な冷却ファン用電源装置および冷却ファンシステムを提供することを目的とする。
【課題を解決するための手段】
【００１１】
本発明は上記目的を達成するために創案されたものであり、冷却ファンを有するファンユニットを複数備えた機器に搭載され、前記各ファンユニットに搭載され、前記機器の電源ユニットからの電源を前記冷却ファン用に変換して前記冷却ファンに出力するユニット内蔵電源装置と、前記冷却ファンの起動時に前記各冷却ファンに電源を供給する補助電源装置と、を備え冷却ファン用電源装置である。
【００１２】
前記補助電源装置を複数備え冗長化してもよい。
【００１３】
前記各冷却ファンが順次起動されるように起動タイミングを調整する起動タイミング調整部をさらに備えてもよい。
【００１４】
また、本発明は、冷却ファンと、当該冷却ファンが搭載される機器の電源ユニットからの電源を前記冷却ファン用に変換して前記冷却ファンに出力するユニット内蔵電源装置と、を有する複数のファンユニットと、前記冷却ファンの起動時に前記各冷却ファンに電源を供給する補助電源装置と、を備えた冷却ファンシステムである。
【発明の効果】
【００１５】
本発明によれば、起動電流の大きい冷却ファンを用いる場合でも電流容量の小さいユニット内蔵電源装置を使用可能な冷却ファン用電源装置および冷却ファンシステムを提供できる。
【図面の簡単な説明】
【００１６】
【図１】本発明の一実施の形態に係る冷却ファン用電源装置を示す概略構成図である。
【図２】従来の冷却ファン用電源装置を示す概略構成図である。
【発明を実施するための形態】
【００１７】
以下、本発明の実施の形態を添付図面にしたがって説明する。
【００１８】
図１は、本実施の形態に係る冷却ファン用電源装置を示す概略構成図である。
【００１９】
図１に示すように、冷却ファン用電源装置１は、冷却ファン３を有するファンユニット２を複数備えた機器１０に搭載される。機器１０は、例えばシャーシ型スイッチである。
【００２０】
ファンユニット２は、冷却ファン３と、機器１０の電源ユニット（図示せず）からの電源を冷却ファン３用に変換して冷却ファン３に出力するユニット内蔵電源装置４と、冷却ファン３をコントロールするファンコントローラ５と、を一体としユニット化したものである。
【００２１】
図１では、冷却ファン３が２重反転ファンである場合を示しているが、冷却ファン３はこれに限定されるものではない。
【００２２】
ユニット内蔵電源装置４は、例えばＤＣ−ＤＣコンバータ（ＤＤコンバータ）からなる。
【００２３】
ファンコントローラ５は、例えば、図示しない温度センサの出力に応じて冷却ファン３の回転数を制御するものであり、冷却ファン３の起動・停止の制御を行う。
【００２４】
さて、本実施の形態に係る冷却ファン用電源装置１は、ファンユニット２に搭載される上述のユニット内蔵電源装置４と、冷却ファン３の起動時に各冷却ファン３に電源を供給する補助電源装置６と、を備えている。ファンユニット２と補助電源装置６とをまとめた全体を、冷却ファンシステム１００と呼称する。
【００２５】
補助電源装置６は、ファンユニット２の外部に備えられる。本実施の形態では、機器１０がＮ台のファンユニット２を備える場合を説明するが、補助電源装置６は１台のみ備えられており、Ｎ台のファンユニット２で共通となっている。ただし、Ｎ台のファンユニット２を複数のグループに分けて各グループ毎に１台の補助電源装置６を備えるようにしてもよい。
【００２６】
補助電源装置６は、ユニット内蔵電源装置４と同様に、機器１０の電源ユニットからの電源を冷却ファン３用に変換して冷却ファン３に出力するものであり、例えばＤＣ−ＤＣコンバータ（ＤＤコンバータ）からなる。
【００２７】
補助電源装置６は、冷却ファン３の起動時に必要となる起動電流を供給し、ユニット内蔵電源装置４を補助するものである。冷却ファン３の起動時に必要となる起動電流は補助電源装置６により補助されるので、補助電源装置６を備えることにより、起動電流を考慮せず通常使用時の駆動電流のみを考慮して電流容量の小さいユニット内蔵電源装置４を用いることが可能になる。
【００２８】
なお、冷却ファン３の通常使用時には、補助電源装置６からの電源は遮断されてもよいし、引き続き冷却ファン３へ供給するようにしてもよい。また、冷却ファン３の駆動電流を監視し、起動時など冷却ファン３の駆動電流が大きくなったときのみ補助電源からの電源供給を行う補助電源制御部を設けてもよい。
【００２９】
補助電源装置６は、機器１０の電源ユニットに内蔵するようにしてもよいし、機器１０の電源ユニットとは別体とし、機器１０のシャーシ等に直接組み込むようにしてもよい。また、補助電源装置６を複数備え冗長化することで、信頼性を向上させることも可能である。
【００３０】
本実施の形態に係る冷却ファン用電源装置１では、各冷却ファン３が順次起動されるように起動タイミングを調整する起動タイミング調整部７をさらに備えている。
【００３１】
起動タイミング調整部７は、例えば、シャーシ型スイッチの管理カードなど、機器１０の制御部に搭載されてもよいし、個別のコントロールユニットとして備えられてもよい。また、各ファンユニット２に搭載し、各ファンユニット２間で協調動作して常に起動される冷却ファン３が１台となるように構成してもよい。
【００３２】
起動タイミング調整部７は、例えば、機器１０の電源投入時に、１番のファンユニット２のファンコントローラ５に命令を出力して、１番のファンユニット２の冷却ファン３を起動し、その所定時間後に、同様に２番のファンユニット２の冷却ファン３を起動する、という制御を、Ｎ番のファンユニット２まで順次繰り返す。
【００３３】
これにより、各ファンユニット２の冷却ファン３が順次駆動されるようになり、一度に必要となる起動電流を小さくすることが可能となる。その結果、１台の冷却ファン３で必要となる起動電流のみを考慮して、電流容量の小さい補助電源装置６を用いることが可能になる。
【００３４】
以上説明したように、本実施の形態に係る冷却ファン用電源装置１では、各ファンユニット２に搭載されるユニット内蔵電源装置４とは別に、冷却ファン３の起動時に各冷却ファン３に電源を供給する補助電源装置６を備えている。
【００３５】
補助電源装置６を備えることにより、冷却ファン３の起動電流を補助電源装置６でまかなうことが可能となり、起動電流の大きい冷却ファン３を用いる場合でも電流容量の小さいユニット内蔵電源装置４を使用することが可能になる。
【００３６】
本発明の冷却ファン用電源装置１は、冷却ファン３として、２重反転ファンやＰＷＭ制御の冷却ファンなど、起動電流が大きいものを用いる場合に、特に好適に用いることができる。
【００３７】
また、本発明の冷却ファン用電源装置１は、多数のファンユニット２が搭載されるシャーシ型スイッチ等に、特に好適に用いることができる。
【００３８】
本発明は上記実施の形態に限定されるものではなく、本発明の趣旨を逸脱しない範囲で種々の変更を加え得ることは勿論である。
【符号の説明】
【００３９】
１  冷却ファン用電源装置
２  ファンユニット
３  冷却ファン
４  ユニット内蔵電源装置
５  ファンコントローラ
６  補助電源装置
７  起動タイミング調整部
１０  機器
１００  冷却ファンシステム
【図１】
2014103202.tif 000003
【図２】
2014103202.tif 000004